(57)【要約】【課題】クリップの取り付け位置を必要に応じて調整でき、また、紐に対するクリップの取り付け状態を、強固に確保できるようにする。【解決手段】引っ掛け部１１は、クリップ本体１を割り欠く割溝１１ａを備えており、割溝１１ａの開放端１１ｂから割溝１１ａ内に紐Ｗを入れ込ませてクリップ本体１に紐Ｗを引っ掛けるようにしてある。装着体２は、第一挟持板２０と第二挟持板２１とを有しており、両挟持板２０、２１間にクリップ本体１の引っ掛け部１１を間に挟み込ませるようにして装着されるようにしてある。装着体２の第二挟持板２１は、紐Ｗを第二挟持板２１と第一挟持板２０との間に入り込ませる割溝２１ａによって二つに区分されている。装着体２をクリップ本体１の引っ掛け部１１に装着させた状態において、引っ掛け部１１における割溝１１ａの少なくとも開放端１１ｂ側が側方から覆われる。【選択図】        図２５
2004298396.tif 000002
【特許請求の範囲】
【請求項１】
紐に吊されて干される干し物の一部を保持する保持部と、紐の引っ掛け部とを備えたクリップ本体と、
このクリップ本体への装着体とを備えており、
引っ掛け部は、クリップ本体の縁部において溝一端を外方に開放させると共に、クリップ本体の一部を割り欠く割溝を備えており、この割溝の開放端からこの割溝内に紐を入れ込ませてクリップ本体に紐を引っ掛けるようにしてあり、
装着体は、第一挟持板と第二挟持板とを有しており、この両挟持板間にクリップ本体の引っ掛け部を間に挟み込ませるようにしてこの引っ掛け部に装着されるようにしてあると共に、
この装着体の第二挟持板は、クリップ本体の引っ掛け部に引っ掛けられた状態で外方に延びる紐をこの第二挟持板と第一挟持板との間に入り込ませる割溝によって二つに区分されており、
装着体における第一挟持板及び第二挟持板は、この装着体をクリップ本体の引っ掛け部に装着させた状態において、この引っ掛け部における割溝の少なくとも開放端側を側方から覆う大きさを備えていることを特徴とする干し物の吊し用クリップ。
【請求項２】
クリップ本体の引っ掛け部に、この引っ掛け部に装着体を装着するにあたって第二挟持板の割溝に入り込む突起が形成してあることを特徴とする請求項１記載の干し物の吊し用クリップ。
【請求項３】
装着体に、クリップ本体の引っ掛け部にこの装着体を装着するにあたってこの引っ掛け部の割溝に入り込む突起が形成してあることを特徴とする請求項１記載の干し物の吊し用クリップ。
【請求項４】
割溝の内壁部に、クリップ本体の引っ掛け部に装着体を装着するにあたって突起に突き当てられてこの割溝をやや弾性的に押し広げさせると共に、クリップ本体の引っ掛け部に装着体を装着させ終わった位置での割溝側の弾性復帰によって突起側に掛合される掛合部が形成してあることを特徴とする請求項２又は請求項３記載の干し物の吊し用クリップ。
【請求項５】
クリップ本体の対向する縁部にそれぞれ引っ掛け部が形成してあり、これらの引っ掛け部にそれぞれ装着される装着体を有していると共に、この引っ掛け部の設けられた対向する縁部間にある縁部に、これらの引っ掛け部の一方に引っ掛けられてクリップ本体の一面側を通り途中からクリップ本体の他面側に入ってこの他面側を通りこれらの引っ掛け部の他方に引っ掛けられてクリップ本体の外方に引き出される紐の収まる凹部が形成してあることを特徴とする請求項１記載の干し物の吊し用クリップ。
【請求項６】
凹部が、その内部を、紐の太さとほぼ等しい大きさを持った貫通穴状をなすように構成されていることを特徴とする請求項５記載の干し物の吊し用クリップ。
【発明の詳細な説明】
【０００１】
【発明の属する技術分野】
この発明は  紐に吊されて干される干し物を、この紐に対し容易に取り付けることができるようにするために用いられるクリップの改良に関する。
【０００２】
【従来の技術】
紐に吊されて干される干し物を、この紐に対し容易に取り付けることができるようにする、つまり、こうした干し物の一部に紐を巻き付るなどすることなく、紐に対してこうした干し物を取り付けることができるようにしたものとして、特許文献１および特許文献２に示されるものがある。
【０００３】
特許文献１のものは、干し物の一部を取り外し可能に挟み込み保持させることができる溝を有した吊り具本体を有している。吊り具本体は紐をインサートとしたインサート成形により紐に取り付けられるようになっている。
【０００４】
特許文献２のものは、干し物の一部を取り外し可能に挟み込み保持させることができる溝を有したクリップ本体を有している。クリップ本体はこのクリップ本体に形成された鈎状の係止部や、切り込みを利用して、紐に取り付けられるようになっている。
【０００５】
【特許文献１】
特開２０００−９３１４２号公報
【特許文献２】
特開２０００−２５３８１１号公報
【０００６】
【発明が解決しようとする課題】
しかるに、特許文献１のものは、紐に対して吊り具本体は強固に取り付けられる反面、その取り付け位置を必要に応じて変えることができない。特に、紐に複数の吊り具本体を取り付けるようにした場合、干し物の種類などに応じて隣り合う吊り具本体間のピッチの調整が必要となることも少なくない。
【０００７】
一方、特許文献２のものは、紐に対するクリップ本体の取り付け位置を必要に応じて変えることができる反面、紐に対するクリップ本体の取り付け状態が安定的でなく、また、干し物のクリップ本体への保持作業や乾燥終了後に保持されている干し物をクリップ本体から取り外す作業などにあたって、前記の鈎状の係止部や切り込みにクリップ本体から引き出されている紐が入り込み、もつれてしまうといった事態を生じさせ易い。
【０００８】
そこでこの発明は、この種の干し物の吊し用クリップにおいて、紐に対するクリップの取り付け位置を必要に応じて調整できるようにすると共に、紐に対するクリップの取り付け状態を、干し物のクリップへの保持作業などにおいて紐のもつれなどを生じさせないような状態で、強固に確保できるようにすることを主たる目的とする。
【０００９】
【課題を解決するための手段】
前記目的を達成するために、請求項１記載の発明にあっては、干し物の吊し用クリップが以下の（１）〜（６）の構成を備えたものとした。
（１）紐に吊されて干される干し物の一部を保持する保持部と、紐の引っ掛け部とを備えたクリップ本体と、
（２）このクリップ本体への装着体とを備えており、
（３）引っ掛け部は、クリップ本体の縁部において溝一端を外方に開放させると共に、クリップ本体の一部を割り欠く割溝を備えており、この割溝の開放端からこの割溝内に紐を入れ込ませてクリップ本体に紐を引っ掛けるようにしてあり、
（４）装着体は、第一挟持板と第二挟持板とを有しており、この両挟持板間にクリップ本体の引っ掛け部を間に挟み込ませるようにしてこの引っ掛け部に装着されるようにしてあると共に、
（５）この装着体の第二挟持板は、クリップ本体の引っ掛け部に引っ掛けられた状態で外方に延びる紐をこの第二挟持板と第一挟持板との間に入り込ませる割溝によって二つに区分されており、
（６）装着体における第一挟持板及び第二挟持板は、この装着体をクリップ本体の引っ掛け部に装着させた状態において、この引っ掛け部における割溝の少なくとも開放端側を側方から覆う大きさを備えている。
【００１０】
かかる構成によれば、
（１）先ず、クリップ本体の引っ掛け部の割溝に、その開放端から紐を入れ込ませることにより、この引っ掛け部に容易に紐を引っかけさせることができる。
（２）次いで、装着体の第二挟持板を二つに区分する割溝を利用してクリップ本体の引っ掛け部に引っ掛けられた状態で外方に延びる紐をこの第二挟持板と第一挟持板との間に入り込まさせることができる。
（３）このようにした状態から、クリップ本体の引っ掛け部に引っ掛けられた状態で外方に延びる紐を案内としながら、クリップ本体の引っ掛け部を装着体の第一挟持板と第二挟持板との間に挟み込ませ、これにより、クリップ本体の引っ掛け部に装着体を装着させることができる。
（４）装着体における第一挟持板及び第二挟持板は、この装着体をクリップ本体の引っ掛け部に装着させた状態において、この引っ掛け部における割溝の少なくとも開放端側を側方から覆う大きさを備えていることから、クリップ本体の一面側および他面側において引っ掛け部の割溝はその少なくとも開放端側において装着体によって隠される。この結果、クリップ本体を紐に引っ掛け装着させた状態においてこのクリップ本体の保持部に干し物の一部を保持させる作業時や、乾燥が終了してクリップ本体から干し物を取り外す作業時、さらには、紐にクリップ本体を装着させた状態でこれらを次の使用に備えて保管する場合などにおいて、クリップ本体から引き出されている紐の一部、典型的には、紐に複数のクリップ本体が備えられている場合における隣り合うクリップ本体間にある紐の一部などがクリップ本体の引っ掛け部に入り込み、クリップ本体の装着された紐がもつれるといった事態を生じさせることがない。
（５）このように紐にクリップを取り付けた状態において、クリップ本体の保持部を利用して、干し物の一部をクリップ本体に保持させることができる。そして、このようにクリップ本体に干し物の一部を保持させた後、紐を鉛直に吊し、あるいは、水平方向に張り込むことで、クリップを介して紐に取り付けられた干し物を紐に吊された状態で乾燥に供することができる。
（６）また、かかるクリップは、紐の任意の位置に取り付けることができ、特に、紐に複数のクリップを取り付ける場合にあっては、隣り合うクリップ間のピッチを必要に応じて簡単に調整することができる。
【００１１】
また、請求項２記載の発明にあっては、請求項１記載の干し物の吊し用クリップにおけるクリップ本体の引っ掛け部に、この引っ掛け部に装着体を装着するにあたって第二挟持板の割溝に入り込む突起が形成してあることを特徴としている。
【００１２】
かかる構成によれば、クリップ本体の引っ掛け部に対し装着体をずれなく装着させることができる。
【００１３】
また、請求項３記載の発明にあっては、請求項１記載の干し物の吊し用クリップにおける装着体に、クリップ本体の引っ掛け部にこの装着体を装着するにあたってこの引っ掛け部の割溝に入り込む突起が形成してあることを特徴としている。
【００１４】
かかる構成によれば、この点においても、クリップ本体の引っ掛け部に対し装着体をずれなく装着させることができる。
【００１５】
また、請求項４記載の発明にあっては、請求項２又は請求項３記載の干し物の吊し用クリップにおける割溝の内壁部に、クリップ本体の引っ掛け部に装着体を装着するにあたって突起に突き当てられてこの割溝をやや弾性的に押し広げさせると共に、クリップ本体の引っ掛け部に装着体を装着させ終わった位置での割溝側の弾性復帰によって突起側に掛合される掛合部が形成してあることを特徴としている。
【００１６】
かかる構成によれば、装着体のクリップ本体の引っ掛け部に対する装着状態を一層強固に維持させることができる。
【００１７】
また、請求項５記載の発明にあっては、請求項１記載の干し物の吊し用クリップにおけるクリップ本体の対向する縁部にそれぞれ引っ掛け部が形成してあり、これらの引っ掛け部にそれぞれ装着される装着体を有していると共に、
この引っ掛け部の設けられた対向する縁部間にある縁部に、これらの引っ掛け部の一方に引っ掛けられてクリップ本体の一面側を通り途中からクリップ本体の他面側に入ってこの他面側を通りこれらの引っ掛け部の他方に引っ掛けられてクリップ本体の外方に引き出される紐の収まる凹部が形成してあることを特徴としている。
【００１８】
かかる構成によれば、クリップ本体の両側にある引っ掛け部にそれぞれ引っかけた紐を、両引っ掛け部の間においてこの紐がクリップ本体の一面側から他面側に入り込むようにクリップ本体に掛け回すことができ、それと共に、このように掛け回される紐をこの両引っ掛け部の間において前記凹部に納めさせることができ、クリップ本体を遊びなく規則的に紐に留め付けさせることができる。
【００１９】
また、請求項６記載の発明にあっては、請求項５記載の干し物の吊し用クリップにおける凹部が、その内部を、紐の太さとほぼ等しい大きさを持った貫通穴状をなすように構成されていることを特徴としている。
【００２０】
かかる構成によれば、クリップ本体の両側にある引っ掛け部にそれぞれ引っかけた紐を、両引っ掛け部の間において、一層安定的にクリップ本体と一体化させることができる。
【００２１】
【発明の実施の形態】
以下、図１ないし図２８に基づいて、この発明の典型的な実施の形態について説明する。
【００２２】
なお、ここで図１ないし図７は、クリップ本体１に装着体２を装着させた状態を、図８ないし図１５はクリップ本体１を、図１６ないし図２２は装着体２を、それぞれ示している。クリップおよびクリップ本体１の背面図はその正面図と、左側面図はその右側面図と、それぞれ同一に表れる。また、図２３ないし図２５は、クリップを紐Ｗに取り付ける過程を段階的に示したものであり、図２３、図２４、図２５の順で進行する。図２６は、図２５の状態を図２５の上方から見て示している。図２７は、紐Ｗに複数のクリップを取り付けた様子を示しており、また、図２８は、かかるクリップに干し物Ｆを保持させた状態を示している。
【００２３】
この実施の形態にかかる干し物Ｆの吊し用クリップは  紐Ｗに吊されて干される干し物Ｆを、この紐Ｗに対し容易に取り付けることができるようにするために用いられるものである。
【００２４】
干し物Ｆとしては、乾燥が必要とされる各種の物が予定される。図示の例にかかるクリップは、採取された柿などの果実Ｆａに残された枝の一部Ｆｂを保持することができる保持部１０を有しており、こうした果実Ｆａを干し柿などの乾燥果物にするためにこうした果実Ｆａを紐Ｗに取り付ける用途に用いられるのに適した構造を備えている。
【００２５】
かかるクリップは、
（１）クリップ本体１と、
（２）このクリップ本体１への装着体２とを備えている。
【００２６】
クリップ本体１は、紐Ｗに吊されて干される干し物Ｆの一部を保持する保持部１０と、紐Ｗの引っ掛け部１１とを備えている。
【００２７】
このクリップ本体１の引っ掛け部１１は、クリップ本体１の縁部において溝一端を外方に開放させると共に、クリップ本体１の一部を割り欠く割溝１１ａを備えており、この割溝１１ａの開放端１１ｂからこの割溝１１ａ内に紐Ｗを入れ込ませてクリップ本体１に紐Ｗを引っ掛けるようにしてある。
【００２８】
一方、装着体２は、第一挟持板２０と第二挟持板２１とを有しており、この両挟持板２０、２１間にクリップ本体１の引っ掛け部１１を間に挟み込ませるようにしてこの引っ掛け部１１に装着されるようにしてある。
【００２９】
また、この装着体２の第二挟持板２１は、クリップ本体１の引っ掛け部１１に引っ掛けられた状態で外方に延びる紐Ｗをこの第二挟持板２１と第一挟持板２０との間に入り込ませる割溝２１ａによって二つに区分されている。
【００３０】
また、装着体２における第一挟持板２０及び第二挟持板２１は、この装着体２をクリップ本体１の引っ掛け部１１に装着させた状態において、この引っ掛け部１１における割溝１１ａの少なくとも開放端１１ｂ側を側方から覆う大きさを備えている。
【００３１】
これにより、この実施の形態にかかるクリップによれば、
（１）先ず、クリップ本体１の引っ掛け部１１の割溝１１ａに、その開放端１１ｂから紐Ｗを入れ込ませることにより、この引っ掛け部１１に容易に紐Ｗを引っかけさせることができる。具体的には、紐Ｗは、この割溝１１ａに通されて、クリップ本体１の一面側から他面側に通り抜けるようにされた状態で、この割溝１１ａにおける開放端１１ｂ側と反対の溝端に引っかけられる。（図２３）
（２）次いで、装着体２の第二挟持板２１を二つに区分する割溝２１ａを利用してクリップ本体１の引っ掛け部１１に引っ掛けられた状態で外方に延びる紐Ｗをこの第二挟持板２１と第一挟持板２０との間に入り込まさせることができる。（図２４）
（３）このようにした状態から、クリップ本体１の引っ掛け部１１に引っ掛けられた状態で外方に延びる紐Ｗを案内としながら、クリップ本体１の引っ掛け部１１を装着体２の第一挟持板２０と第二挟持板２１との間に挟み込ませ、これにより、クリップ本体１の引っ掛け部１１に装着体２を装着させることができる。（図２５）
（４）装着体２における第一挟持板２０及び第二挟持板２１は、この装着体２をクリップ本体１の引っ掛け部１１に装着させた状態において、この引っ掛け部１１における割溝１１ａの少なくとも開放端１１ｂ側を側方（割溝の開放端１１ｂ側における紐Ｗの導入方向にほぼ直交する側）から覆う大きさを備えていることから、クリップ本体１の一面側および他面側において引っ掛け部１１の割溝１１ａはその少なくとも開放端１１ｂ側において装着体２によって隠される。この結果、クリップ本体１を紐Ｗに引っ掛け装着させた状態においてこのクリップ本体１の保持部１０に干し物Ｆの一部を保持させる作業時や、乾燥が終了してクリップ本体１から干し物Ｆを取り外す作業時、さらには、紐Ｗにクリップ本体１を装着させた状態でこれらを次の使用に備えて保管する場合などにおいて、クリップ本体１から引き出されている紐Ｗの一部、典型的には、紐Ｗに複数のクリップ本体１、１…が備えられている場合における隣り合うクリップ本体１、１間にある紐Ｗの一部などがクリップ本体１の引っ掛け部１１に入り込み、クリップ本体１の装着された紐Ｗがもつれるといった事態を生じさせることがない。すなわち、この実施の形態にかかるクリップにあっては、このクリップが装着されている紐Ｗを常時適切にまっすぐ引き延ばし可能な状態に保つことができる。
（５）このように紐Ｗにクリップを取り付けた状態において、クリップ本体１の保持部１０を利用して、干し物Ｆの一部をクリップ本体１に保持させることができる。そして、このようにクリップ本体１に干し物Ｆの一部を保持させた後、紐Ｗを鉛直に吊し、あるいは、水平方向に張り込むことで、クリップを介して紐Ｗに取り付けられた干し物Ｆを紐Ｗに吊された状態で乾燥に供することができる。（図２８）
（６）また、かかるクリップは、紐Ｗの任意の位置に取り付けることができ、特に、紐Ｗに複数のクリップを取り付ける場合にあっては、隣り合うクリップ間のピッチを必要に応じて簡単に調整することができる。（図２７）
【００３２】
図示の例にあっては、クリップ本体１は、二等辺三角形状に近い外郭形状を持った一面と他面とを備え、両面間の厚さを小さくさせた、いわば板状を呈するように構成されている。
【００３３】
そして、図示の例では、かかる基本的な形状を持ったクリップ本体１の底辺１ａに隣り合う一方の辺１ｂにおける底辺１ａ側と、この底辺１ａに隣り合う他方の辺１ｂにおける底辺１ａ側とにそれぞれ、前記引っ掛け部１１が形成されている。
【００３４】
また、図示の例では、クリップ本体１に、前記底辺１ａ側から前記等辺となる一方の辺１ｂと他方の辺１ｂとが接し合う側、つまり、底辺１ａの側と反対の頂部１ｃ側に向かうに連れて、次第に穴幅を狭めさせる貫通穴１０ａが形成されている。
【００３５】
また、この貫通穴１０ａ内には、一端を頂部１ｃ側に一体に連接させた状態で底辺１ａ側に向けて真っ直ぐに延び、かつ、途中から他方の辺１ｂ側から離れる向きに屈曲して他端を一方の辺１ｂ側に一体に連接させた第一挟持棒体１０ｂと、
一端を頂部１ｃ側に一体に連接させた状態で底辺１ａ側に向けて真っ直ぐに延び、かつ、途中から一方の辺１ｂ側から離れる向きに屈曲して他端を他方の辺１ｂ側に一体に連接させた第二挟持棒体１０ｂとが形成されている。
【００３６】
この第一挟持棒体１０ｂの真っ直ぐに延びている部分と、第二挟持棒体１０ｂの真っ直ぐに延びている部分との間には、干し物Ｆの一部を挟み込ませるスリット１０ｃが形成されている。それと共に、両挟持棒体１０ｂ、１０ｂの屈曲箇所と底辺１ａとの間には干し物Ｆの一部を導入する導入空間１０ｄが形成されている。また、スリット１０ｃは、この導入空間１０ｄ側からクリップ本体１の前記頂部１ｃに近づくに連れて次第にその幅を狭めさせるように形成されている。それと共に、両挟持棒体１０ｂ、１０ｂにおける真っ直ぐに延びている部分におけるスリット１０ｃの内方に向けられた側部１０ｅは、スリット１０ｃの内方に頂部を向けた山形状の断面形状を持つように形成されている。
【００３７】
そして図示の例では、干し物Ｆの一部をクリップ本体１の導入空間１０ｄに入れ込ませた後、このように入れ込まれた干し物Ｆの一部を前記スリット１０ｃに案内し、このスリット１０ｃの奥側、つまり、クリップ本体１の前記頂部１ｃ側に移動、あるいは、相対的に移動させることによって、この干し物Ｆの一部を前記両挟持棒体１０ｂ、１０ｂで挟み付けて、干し物Ｆをクリップに簡単に保持させることができるようになっている。両挟持棒体１０ｂ、１０ｂのリットの内方に向けられた側部１０ｅは、スリット１０ｃの内方に頂部を向けた山形状の断面形状を持つように形成されていることから、両挟持棒体１０ｂ、１０ｂはこの側部１０ｅを干し物Ｆの一部に食い込ませるようにしてこの一部を両側から挟み付けるようになり、かかる保持状態は安定的に維持される。このように保持された干し物Ｆの保持状態は、前記導入空間１０ｄ側に向けて干し物Ｆを移動、あるいは、相対的に移動させることにより、簡単に解除することができる。
【００３８】
また、図示の例では、クリップ本体１の引っ掛け部１１を構成する割溝１１ａは、二等辺三角形状に近い外郭形状を持ったこのクリップ本体１の底辺１ａに隣り合う辺１ｂとなる縁部において外方に開放されている。
【００３９】
また、図示の例では、かかる割溝１１ａは、前記開放端１１ｂからクリップ本体１の底辺１ａに沿って延びる導入溝部１１ｃと、この導入溝部１１ｃの終端においてこの導入溝部１１ｃに連通して底辺１ａ側に向けて延びる締め込み溝部１１ｄとを有している。この導入溝部１１ｃの溝幅は引っかけられる紐Ｗの太さとほぼ等しいか、やや、大きいが、締め込み溝部１１ｄの溝幅はかかる紐Ｗの太さよりも小さくなるように構成されている。
【００４０】
そして、図示の例では、引っ掛け部１１の割溝１１ａに対し、その開放端１１ｂから入れ込ませた紐Ｗを導入溝部１１ｃを通じて締め込み溝部１１ｄの入り口に導いた後、この紐Ｗを締め込み溝部１１ｄの終端側に引き入れることによって、この締め込み溝部１１ｄによって強く紐Ｗを挟み付けて紐Ｗをしっかりと引っかけることができるようになっている。
【００４１】
一方、図示の例にあっては、装着体２は、クリップ本体１の引っ掛け部１１が形成されている箇所の隅部、つまり、二等辺三角形状に近い外郭形状を持ったこのクリップ本体１の底辺１ａとこの底辺１ａに隣り合う辺１ｂとの接し合う部分に、このクリップ本体１における底辺１ａに隣り合う辺１ｂの側方から装着できるように構成されている。
【００４２】
図示の例にあっては、かかる装着体２は、第一挟持板２０と第二挟持板２１とを有している。両挟持板２０、２１は、その内外面を共にほぼ平行に配するように構成されている。また、両挟持板２０、２１の内面間には、クリップ本体１の引っ掛け部１１の厚さ寸法とほぼ等しいか、これよりやや大きい間隔が形成されている。
【００４３】
また、第二挟持板２１は、クリップ本体１への装着方向に沿った割溝２１ａによって、装着時にクリップ本体１の底辺１ａ側に位置される第一部分２１ｂと、クリップ本体１の頂部１ｃ側に位置される第二部分２１ｃとの二つに区分されている。
【００４４】
第一挟持板２０と第二挟持板２１との間には、両挟持板２０、２１の間に亘る第一連接板２２と第二連接板２３とが備えられており、この両連接板２２、２３によって両挟持板２０、２１は一体化されている。
【００４５】
第一連接板２２は、第一挟持板２０におけるクリップ本体１への装着時にこのクリップ本体１の底辺１ａに沿わされる板縁部と、第二挟持板２１の第一部分２１ｂにおけるクリップ本体１への装着時にこのクリップ本体１の底辺１ａに沿わされる板縁部との間に形成されている。
【００４６】
また、第二連接板２３は、第一挟持板２０におけるクリップ本体１への装着時にこのクリップ本体１の底辺１ａに隣り合う辺１ｂに沿わされる板縁部と、第二挟持板２１の第二部分２１ｃにおけるクリップ本体１への装着時にこのクリップ本体１の底辺１ａに隣り合う辺１ｂに沿わされる板縁部との間に形成されている。
【００４７】
このような構成を備えた装着体２は、この第一連接板２２および第二連接板２３の設けられていない箇所においてはその内部を外方に開放させており、図示の例では、第二挟持板２１の割溝にクリップ本体１の引っ掛け部１１に引っかけられて外方に引き出されている紐Ｗを入れ込ませて第一挟持板２０と第二挟持板２１との間にこの紐Ｗを通し抜けさせるようにした後、第二連接板２３の設けられていない側から両挟持板２０、２１間にクリップ本体１の引っ掛け部１１を入れ込ませる操作をすることにより、この引っ掛け部１１に装着されるようになっている。
【００４８】
図示の例では、クリップ本体１の引っ掛け部１１における、装着時に第一挟持板２０の内面が接しさせられる面に、この引っ掛け部１１の割溝１１ａにおける締め込み溝部１１ｄの終端からクリップ本体１の底辺１ａに隣り合う辺１ｂとなる縁部に亘って有底溝１１ｉが形成されており、この有底溝１１ｉが設けられている面側から締め込み溝部１１ｄに入れ込まれ、この面と反対の面側から引き出されている紐Ｗにおけるこの有底溝１１ｉの形成側の面側に位置されている紐Ｗの一部をこの有底溝１１ｉに入れ込ませた状態で、引っ掛け部１１に装着体２を装着できるようにしてある。このように有底溝１１ｉに入れ込まされてクリップ本体１から引き出される紐Ｗは、図示の例では、装着体２の装着時において、第二挟持板２１の割溝２１ａにおける第二連接板２３の形成側の溝端から外方に引き出されるようになる。
【００４９】
また、図示の例にあっては、クリップ本体１の対向する縁部にそれぞれ引っ掛け部１１が形成してあり、これらの引っ掛け部１１にそれぞれ装着される装着体２を有している。
【００５０】
具体的には、前記のように、二等辺三角形状に近い外郭形状を持ったクリップ本体１の底辺１ａに隣り合う一方の辺１ｂにおける底辺１ａ側と、この底辺１ａに隣り合う他方の辺１ｂにおける底辺１ａ側とにそれぞれ、前記引っ掛け部１１が形成されている。
【００５１】
それと共に、図示の例では、この引っ掛け部１１の設けられた対向する縁部間にある縁部、つまり、底辺１ａとなる縁部に、これらの引っ掛け部１１の一方に引っ掛けられてクリップ本体１の一面側を通り途中からクリップ本体１の他面側に入ってこの他面側を通りこれらの引っ掛け部１１の他方に引っ掛けられてクリップ本体１の外方に引き出される紐Ｗの収まる凹部１２が形成してある。
【００５２】
これにより、図示の例にあっては、クリップ本体１の両側にある引っ掛け部１１にそれぞれ引っかけた紐Ｗを、両引っ掛け部１１、１１の間においてこの紐Ｗがクリップ本体１の一面側から他面側に入り込むようにクリップ本体１に掛け回すことができ、それと共に、このように掛け回される紐Ｗをこの両引っ掛け部１１、１１の間において前記凹部１２に納めさせることができ、クリップ本体１を遊びなく規則的に紐Ｗに留め付けさせることができる。図示の例では、かかる凹部１２は、クリップ本体１における底辺１ａとなる縁部のほぼ中程の位置に形成されている。
【００５３】
また、図示の例にあっては、かかる凹部１２が、その内部を、紐Ｗの太さとほぼ等しい大きさを持った貫通穴状をなすように構成されている。
【００５４】
具体的には、図示の例にあっては、クリップ本体１における底辺１ａとなる縁部に紐Ｗの太さとほぼ等しい丸穴状をなす貫通穴１２ａが形成されていると共に、この貫通穴１２ａをこの貫通穴１２ａの直径よりも幅を狭くする連通溝１２ｂを介して外方に連通させるようにして前記凹部１２を形成させている。
【００５５】
これにより、図示の例にあっては、クリップ本体１の両側にある引っ掛け部１１にそれぞれ引っかけた紐Ｗを、両引っ掛け部１１の間において、一層安定的にクリップ本体１と一体化させることができる。
【００５６】
図示の例にあっては、このようにクリップ本体１に対して紐Ｗが掛け回されるようになっていることから、クリップ本体１は、前記凹部１２とその頂部１ｃとを通る仮想の線分ｘを挟んだ右側と左側とが対称となる形状を持つようになっており、また、引っ掛け部１１に形成されている前記有底溝１１ｉは、図８におけるクリップ本体１の左側では正面に位置され、右側では背面に位置される。
【００５７】
また、図示の例にあっては、クリップ本体１の引っ掛け部１１に、この引っ掛け部１１に装着体２を装着するにあたって第二挟持板２１の割溝２１ａに入り込む突起１１ｊが形成してある。
【００５８】
具体的には、図示の例にあっては、クリップ本体１の引っ掛け部１１における前記有底溝１１ｉの形成側と反対の面に、この引っ掛け部１１の割溝１１ａにおける締め込み溝部１１ｄの終端からクリップ本体１の底辺１ａに隣り合う辺１ｂとなる縁部に亘って、リブ状をなす突起１１ｊが形成してある。
【００５９】
これにより、図示の例にあっては、クリップ本体１の引っ掛け部１１に対し装着体２をずれなく装着させることができる。
【００６０】
なお、図示の例では、装着体２における第二挟持板２１の割溝２１ａは、第二連接板２３の形成側と反対の側からこの割溝２１ａの長さ方向ほぼ中程の位置までは、前記リブ状をなす突起１１ｊの幅よりも溝幅を広くしており、この割溝２１ａへのこの突起１１ｊの導入をなし易くしてあると共に、締め込み溝部１１ｄから引き出されて他方の引っ掛け部１１に向けて延びる紐Ｗに対し第二挟持板２１が干渉しないようになっている。
【００６１】
また、図示の例にあっては、装着体２に、クリップ本体１の引っ掛け部１１にこの装着体２を装着するにあたってこの引っ掛け部１１の割溝１１ａに入り込む突起２４が形成してある。
【００６２】
具体的には、図示の例にあっては、第一挟持板２０と第二挟持板２１とを連接させ合わせる第二連接板２３の形成位置と第一連接板２２によって連接されている両連接板２２、２３の縁部に対向する縁部との間に、クリップ本体１の引っ掛け部１１に対する装着体２の装着方向に板面を沿わせ、かつ、両挟持板２０、２１の内面間に亘る第三連接板２４ａが形成されており、この第三連接板２４ａが前記突起２４として機能するようにしてある。具体的には、クリップ本体１の引っ掛け部１１に装着体２を装着させることに伴って、この第三連接板２４ａがこの引っ掛け部１１の割溝１１ａにおける導入溝部１１ｃに入り込むようになっている。
【００６３】
これにより、図示の例にあっては、この点においても、クリップ本体１の引っ掛け部１１に対し装着体２をずれなく装着させることができる。
【００６４】
以上に説明した割溝、つまり、クリップ本体１の引っ掛け部１１の割溝１１ａ及び装着体２の第二挟持板２１の割溝２１ａの双方またはいずれか一方の内壁部に、クリップ本体１の引っ掛け部１１に装着体２を装着するにあたって突起、つまり、クリップ本体１の引っ掛け部１１に形成された前記突起１１ｊ及び装着体２に形成された前記突起２４に突き当てられてこの割溝をやや弾性的に押し広げさせると共に、クリップ本体１の引っ掛け部１１に装着体２を装着させ終わった位置での割溝側の弾性復帰によって突起側に掛合される掛合部を形成させておくこともできる。
【００６５】
このようにすれば、装着体２のクリップ本体１の引っ掛け部１１に対する装着状態を一層強固に維持させることができる。
【００６６】
図示の例にあっては、クリップ本体１の引っ掛け部１１の割溝１１ａの一方の内壁部であって、この割溝１１ａの開放端１１ｂ側にかかる掛合部１１ｅが形成してある。
【００６７】
図示の例では、この掛合部１１ｅは、導入溝部１１ｃの終端に向いた掛合面１１ｆを備えて、引っ掛け部１１の割溝１１ａの他方の内壁部側に向けて突き出す突部状をなすように構成されている。この掛合部１１ｅの掛合面１１ｆと導入溝部１１ｃの終端との間の間隔は、装着体２の第三連接板２４ａの長さ寸法よりもやや大きくなるようにしてある。また、かかる掛合部１１ｅと割溝１１ａの開放端１１ｂとの間には、この開放端１１ｂから掛合部１１ｅの頂部１ｃに近づくに連れて次第にこの割溝の他方の内壁部に近づくように傾斜した案内面１１ｈが形成してある。
【００６８】
そして、クリップ本体１の引っ掛け部１１に対し装着体２を装着させる操作をなし始めると、先ず、かかる案内面１１ｈに装着体２の第三連接板２４ａの入れ込み方向先頭側に位置する端部が突き当たり、引っ掛け部１１の割溝１１ａにおける導入溝部１１ｃの溝幅が弾性的に広げられるようになっている。これにより、引っ掛け部１１の割溝１１ａへの第三連接板２４ａの入れ込みが許容される。この後、装着体２の第三連接板２４ａの入れ込み方向後尾側に位置する端部が掛合部１１ｅの頂部１ｃよりも先に入り込むと引っ掛け部１１の割溝１１ａにおける導入溝部１１ｃ側はその溝幅を弾性復帰により元に戻す。そしてこれにより、装着体２の第三連接板２４ａの入れ込み方向後尾側に位置する端部と引っ掛け部１１の掛合部１１ｅの掛合面１１ｆとが掛合し合うようになっており、装着体２の装着状態が強固に維持される。
【００６９】
かかるクリップ本体１への所用の弾性変形特性の付与は、かかるクリップ本体１をプラスチックの射出成形により形成することで、容易に確保することができる。
【００７０】
【発明の効果】
この発明にかかる干し物の吊し用クリップによれば、紐に対するクリップの取り付け位置を必要に応じて調整できると共に、紐に対するクリップの取り付け状態を、干し物のクリップへの保持作業などにおいて紐のもつれなどを生じさせないような状態で、強固に確保することができる。
【図面の簡単な説明】
【図１】クリップの正面図
【図２】同平面図
【図３】同底面図
【図４】同右側面図
【図５】図２におけるＢ−Ｂ線断面図
【図６】図２におけるＡ−Ａ線断面図
【図７】図１におけるＣ−Ｃ線断面図
【図８】クリップ本体１の正面図
【図９】同平面図
【図１０】同底面図
【図１１】同右側面図
【図１２】図９におけるＧ−Ｇ線断面図
【図１３】図８におけるＤ−Ｄ線断面図
【図１４】図８におけるＥ−Ｅ線断面図
【図１５】図８におけるＦ−Ｆ線断面図
【図１６】装着体２の正面図
【図１７】同背面図
【図１８】同平面図
【図１９】同底面図
【図２０】同左側面図
【図２１】同右側面図
【図２２】図１８におけるＨ−Ｈ線断面図
【図２３】紐Ｗへの取り付け過程を示す要部正面図
【図２４】紐Ｗへの取り付け過程を示す要部正面図
【図２５】紐Ｗに取り付けられた状態を示す要部正面図
【図２６】同平面図
【図２７】使用状態を示す正面図
【図２８】使用状態を示す断面図
【符号の説明】
Ｗ  紐
Ｆ  干し物
１  クリップ本体
１０  保持部
１１  引っ掛け部
１１ａ  割溝
１１ｂ  開放端
２  装着体
２０  第一挟持板
２１  第二挟持板
２１ａ  割溝
【図１】
2004298396.tif 000003
【図２】
2004298396.tif 000004
【図３】
2004298396.tif 000005
【図４】
2004298396.tif 000006
【図５】
2004298396.tif 000007
【図６】
2004298396.tif 000008
【図７】
2004298396.tif 000009
【図８】
2004298396.tif 000010
【図９】
2004298396.tif 000011
【図１０】
2004298396.tif 000012
【図１１】
2004298396.tif 000013
【図１２】
2004298396.tif 000014
【図１３】
2004298396.tif 000015
【図１４】
2004298396.tif 000016
【図１５】
2004298396.tif 000017
【図１６】
2004298396.tif 000018
【図１７】
2004298396.tif 000019
【図１８】
2004298396.tif 000020
【図１９】
2004298396.tif 000021
【図２０】
2004298396.tif 000022
【図２１】
2004298396.tif 000023
【図２２】
2004298396.tif 000024
【図２３】
2004298396.tif 000025
【図２４】
2004298396.tif 000026
【図２５】
2004298396.tif 000027
【図２６】
2004298396.tif 000028
【図２７】
2004298396.tif 000029
【図２８】
2004298396.tif 000030